【手続補正書】
【提出日】平成28年4月25日(2016.4.25)
【手続補正１】
【補正対象書類名】特許請求の範囲
【補正対象項目名】全文
【補正方法】変更
【補正の内容】
【特許請求の範囲】
【請求項１】
記録材の第１面に光を照射する照射手段と、
前記照射手段によって照射され、記録材の前記第１面に反射した光を表面画像として撮像する撮像手段と、
前記第１面と反対の記録材の第２面における第１の領域を押圧し、前記第２面における第２の領域であって、前記第１の領域とは異なる前記第２の領域を前記第１の領域よりも弱い力で押圧する押圧手段と、
前記撮像手段によって撮像された前記第２面における前記第２の領域に対応する前記第１面における領域の表面画像に基づき記録材の種類を判別する制御手段と、を有することを特徴とする記録材判別装置。
【請求項２】
前記押圧手段と対向した位置に設けられ、前記押圧手段との間で記録材を挟持することにより、前記第１の領域及び前記第２の領域を形成する対向部材と、を有することを特徴とする請求項１に記載の記録材判別装置。
【請求項３】
前記押圧手段はローラであり、前記第１の領域を押圧するための第１の半径と、前記第１の半径よりも短く、前記第２の領域を押圧するための第２の半径とを有することを特徴とする請求項１又は２に記載の記録材判別装置。
【請求項４】
前記対向部材には溝が設けられていない領域と、溝が設けられている領域があり、前記押圧手段と前記対向部材の溝が設けられていない領域で記録材を挟持することにより、前記押圧手段は前記第１の領域を押圧し、前記押圧部材と前記対向部材の溝が設けられている領域で記録材を挟持することにより、前記押圧手段は前記第２の領域を押圧することを特徴とする請求項２に記載の記録材判別装置。
【請求項５】
記録材の第１面に光を照射する照射手段と、
前記第１面とは反対の記録材の第２面と接触する接触部材と、
前記接触部材と対向した位置に設けられ、前記接触部材との間で記録材を挟持可能であって、前記照射手段から照射された光を透過する対向部材と、
前記照射手段によって照射され、前記対向部材を透過し、記録材の前記第１面で反射した光を表面画像として撮像する撮像手段と、
前記接触部材と前記対向部材によって記録材を挟持することによって、前記接触部材が前記第２面における第１の領域と接触し、前記接触部材が前記第２面における第２の領域であって、前記第１の領域とは異なる前記第２の領域と接触せず、
前記撮像手段によって撮像された前記第２面における前記第２の領域に対応する前記第１面における領域の表面画像に基づき記録材の種類を判別する制御手段と、を有することを特徴とする記録材判別装置。
【請求項６】
前記接触部材はローラであり、前記第１の領域と接触するための第１の半径と、前記第１の半径よりも短く、前記第２の領域と接触しないための第２の半径とを有することを特徴とする請求項５に記載の記録材判別装置。
【請求項７】
前記対向部材には溝が設けられていない領域と、溝が設けられている領域があり、前記接触部材と前記対向部材の溝が設けられていない領域で記録材を挟持することにより、前記接触部材は前記第１の領域と接触し、前記接触部材と前記対向部材の溝が設けられている領域で記録材を挟持することにより、前記接触部材は前記第２の領域と接触しないことを特徴とする請求項５に記載の記録材判別装置。
【請求項８】
前記照射手段は搬送されている記録材に光を照射し、
前記撮像手段は、前記照射手段によって照射され、前記搬送されている状態の記録材の前記第１面に反射した光を前記表面画像として撮像することを特徴とする請求項１乃至７のいずれか１項に記載の記録材判別装置。
【請求項９】
前記第１の領域と前記第２の領域は記録材の搬送方向と直交する方向に形成されていることを特徴とする請求項１乃至８のいずれか１項に記載の記録材判別装置。
【請求項１０】
前記第２面は複数の前記第１の領域を含み、前記第２の領域は複数の前記第１の領域の間に形成されていることを特徴とする請求項１乃至９のいずれか１項に記載の記録材判別装置。
【請求項１１】
前記制御手段は、前記撮像手段によって撮像された前記第２面における前記第２の領域に対応する前記第１面における領域の表面画像に基づき、記録材の表面状態を判別することを特徴とする請求項１乃至１０のいずれか１項に記載の記録材判別装置。
【請求項１２】
記録材の第１面に光を照射する照射手段と、
前記照射手段によって光が照射された記録材と前記照射手段の間に配置され、前記照射手段によって照射された光を透過する透過部材と、
前記透過部材と対向した位置に配置され、前記透過部材との間で記録材を挟持することが可能な対向部材であって、前記第１面とは反対の記録材の第２面における第１の領域と接触し、前記第２面における第２の領域であって、前記第１の領域とは異なる前記第２の領域と接触しない前記対向部材と、
前記照射手段によって照射され、前記透過部材を透過し、記録材の前記第１面で反射した光を表面画像として撮像する撮像手段と、を有し、
前記撮像手段によって撮像された前記第２面における前記第２の領域に対応する前記第１面における領域の表面画像に基づき記録材の種類が判別されることを特徴とする記録材撮像装置。
【請求項１３】
前記対向部材はローラであり、前記第１の領域と接触するための第１の半径と、前記第１の半径よりも短く、前記第２の領域と接触しないための第２の半径とを有することを特徴とする請求項１２に記載の記録材撮像装置。
【請求項１４】
前記透過部材には溝が設けられていない領域と、溝が設けられている領域があり、前記対向部材と前記透過部材の溝が設けられていない領域で記録材を挟持することにより、前記対向部材は前記第１の領域と接触し、前記対向部材と前記透過部材の溝が設けられている領域で記録材を挟持することにより、前記対向部材は前記第２の領域と接触しないことを特徴とする請求項１２に記載の記録材撮像装置。
【請求項１５】
前記照射手段は搬送されている記録材に光を照射し、
前記撮像手段は、前記照射手段によって照射され、前記搬送されている状態の記録材の前記第１面に反射した光を前記表面画像として撮像することを特徴とする請求項１２乃至１４のいずれか１項に記載の記録材撮像装置。
【請求項１６】
前記第１の領域と前記第２の領域は記録材の搬送方向と直交する方向に形成されていることを特徴とする請求項１２乃至１５のいずれか１項に記載の記録材撮像装置。
【請求項１７】
前記第２面は複数の前記第１の領域を含み、前記第２の領域は複数の前記第１の領域の間に形成されていることを特徴とする請求項１２乃至１６のいずれか１項に記載の記録材撮像装置。
【請求項１８】
前記撮像手段によって撮像された前記第２面における前記第２の領域に対応する前記第１面における領域の表面画像に基づき、記録材の表面状態が判別されることを特徴とする請求項１２乃至１７のいずれか１項に記載の記録材撮像装置。
【請求項１９】
記録材に画像を形成する画像形成手段と、
記録材の第１面に光を照射する照射手段と、
前記照射手段によって照射され、記録材の前記第１面に反射した光を表面画像として撮像する撮像手段と、
前記第１面と反対の記録材の第２面における第１の領域を押圧し、前記第２面における第２の領域であって、前記第１の領域とは異なる前記第２の領域を前記第１の領域よりも弱い力で押圧する押圧手段と、
前記撮像手段によって撮像された前記第２面における前記第２の領域に対応する前記第１面における領域の表面画像に基づき前記画像形成手段の画像形成条件を制御する制御手段と、を有することを特徴とする画像形成装置。
【請求項２０】
記録材に画像を形成する画像形成手段と、
記録材の第１面に光を照射する照射手段と、
前記第１面とは反対の記録材の第２面と接触する接触部材と、
前記接触部材と対向した位置に設けられ、前記接触部材との間で記録材を挟持可能であって、前記照射手段から照射された光を透過する対向部材と、
前記照射手段によって照射され、前記対向部材を透過し、記録材の前記第１面で反射した光を表面画像として撮像する撮像手段と、
前記接触部材と前記対向部材によって記録材を挟持することによって、前記接触部材が前記第２面における第１の領域と接触し、前記接触部材が前記第２面における第２の領域であって、前記第１の領域とは異なる前記第２の領域と接触せず、
前記撮像手段によって撮像された前記第２面における前記第２の領域に対応する前記第１面における領域の表面画像に基づき前記画像形成手段の画像形成条件を制御する制御手段と、を有することを特徴とする画像形成装置。
【請求項２１】
記録材に画像を形成する画像形成手段と、
記録材の第１面に光を照射する照射手段と、
前記照射手段によって光が照射された記録材と前記照射手段の間に配置され、前記照射手段によって照射された光を透過する透過部材と、
前記透過部材と対向した位置に配置され、前記透過部材との間で記録材を挟持することが可能な対向部材であって、前記第１面とは反対の記録材の第２面における第１の領域と接触し、前記第２面における第２の領域であって、前記第１の領域とは異なる前記第２の領域と接触しない前記対向部材と、
前記照射手段によって照射され、前記透過部材を透過し、記録材の前記第１面で反射した光を表面画像として撮像する撮像手段と、を有し、
前記撮像手段によって撮像された前記第２面における前記第２の領域に対応する前記第１面における領域の表面画像に基づき前記画像形成手段の画像形成条件を制御する制御手段と、を有することを特徴とする画像形成装置。
【請求項２２】
前記画像形成条件とは、記録材に画像を転写する場合の転写電圧、記録材の搬送速度、又は記録材に画像を定着する場合の定着温度であることを特徴とする請求項１９乃至２１のいずれか１項に記載の画像形成装置。
【手続補正２】
【補正対象書類名】明細書
【補正対象項目名】０００９
【補正方法】変更
【補正の内容】
【０００９】
上記目的を達成するために本発明は、記録材の第１面に光を照射する照射手段と、前記照射手段によって照射され、記録材の前記第１面に反射した光を表面画像として撮像する撮像手段と、前記第１面と反対の記録材の第２面における第１の領域を押圧し、前記第２面における第２の領域であって、前記第１の領域とは異なる前記第２の領域を前記第１の領域よりも弱い力で押圧する押圧手段と、前記撮像手段によって撮像された前記第２面における前記第２の領域に対応する前記第１面における領域の表面画像に基づき記録材の種類を判別する制御手段と、を有することを特徴とする。
また、上記目的を達成するために本発明は、記録材の第１面に光を照射する照射手段と、前記第１面とは反対の記録材の第２面と接触する接触部材と、前記接触部材と対向した位置に設けられ、前記接触部材との間で記録材を挟持可能であって、前記照射手段から照射された光を透過する対向部材と、前記照射手段によって照射され、前記対向部材を透過し、記録材の前記第１面で反射した光を表面画像として撮像する撮像手段と、前記接触部材と前記対向部材によって記録材を挟持することによって、前記接触部材が前記第２面における第１の領域と接触し、前記接触部材が前記第２面における第２の領域であって、前記第１の領域とは異なる前記第２の領域と接触せず、前記撮像手段によって撮像された前記第２面における前記第２の領域に対応する前記第１面における領域の表面画像に基づき記録材の種類を判別する制御手段と、を有することを特徴とする。
また、上記目的を達成するために本発明は、記録材の第１面に光を照射する照射手段と、前記照射手段によって光が照射された記録材と前記照射手段の間に配置され、前記照射手段によって照射された光を透過する透過部材と、前記透過部材と対向した位置に配置され、前記透過部材との間で記録材を挟持することが可能な対向部材であって、前記第１面とは反対の記録材の第２面における第１の領域と接触し、前記第２面における第２の領域であって、前記第１の領域とは異なる前記第２の領域と接触しない前記対向部材と、前記照射手段によって照射され、前記透過部材を透過し、記録材の前記第１面で反射した光を表面画像として撮像する撮像手段と、を有し、前記撮像手段によって撮像された前記第２面における前記第２の領域に対応する前記第１面における領域の表面画像に基づき記録材の種類が判別されることを特徴とする。